(57)【特許請求の範囲】
【請求項１】
車両に搭載された車両用指示装置において、
計測値に対応する指標が形成されている文字板と、
前記文字板に形成されている指標を指示する指針と、
運転者側の面にプリズムが鋸歯状に並んだようなプリズムアレイが形成されているプリズムシートと、
前記プリズムシートの前記プリズムアレイと並行な側面から入射される光を発生する光源とを備え、
前記プリズムシートと前記光源からなる照明板が前記文字板の運転者視点側を覆うように設けられていることを特徴とする車両用指示装置。
【請求項２】
請求項１記載の車両用指示装置であって、
前記文字板は金属から構成されている
ことを特徴とする車両用指示装置。
【発明の詳細な説明】
【０００１】
【発明の属する技術分野】
この発明は、車両用指示装置に係わり、特に、車両に搭載され、指針により計測値を指示する車両用指示装置に関する。
【０００２】
【従来の技術】
一般に車両には、車両速度及びエンジン回転数等の計測値を指示する指針式指示装置が搭載されている。この指示装置は、表面に目盛及び数字、文字または記号等の指標が設けられた文字板と、この文字板の前面に配置される指針と、計測量に応じて指針を駆動する内機と、回路パターンが設けられ、内機が固定される配線板とを有して構成している。
【０００３】
この指示装置では、昼間は外光により指針や文字板を照らして、運転者に前記計測量を視認させている。一方、夜間においては、文字板の後方に配置された冷陰極管、ダイオードなどの光源からの光を指針の指示部や指標から透過させて発光させることで、運転者に前記計測量を視認させている。このように指針や指標自体を発光させる自発光式の指示装置は、斯界で良く知られている。
【０００４】
【発明が解決しようとする課題】
しかしながら、上述した自発光式の指示装置は、夜間は、暗闇の中に指針や指標が光って見えるだけで、文字板自体は視認できない。このため、文字板自体の意匠、材質等にこだわって高級感を演出しても、観測者から視認されないと言う問題が生じる。
【０００５】
そこで、図５に示すように、運転者側から文字板１や指針２を照射するダイオード３を設けて、夜間でも、昼間のように文字板１自体を視認できるようにすることが考えられる。しかしながら、文字板１や指針２を照射する光源として、ダイオードなどの点光源を用いた場合、文字板１全体に一様に光が照射されず、図６に示すように、輝度の高くなる高輝度部分Ａが部分的に現れてしまう恐れがある。特に、高級感を持たせるために、文字板１として反射率の高い金属を用いた場合、このような現象が顕著に現れる。
【０００６】
そこで、本発明は、上記のような問題点に着目し、夜間であっても、昼間と同じように文字板が視認できる車両用指示装置を提供することを課題とする。
【０００７】
【課題を解決するための手段】
上記課題を解決するためになされた請求項１記載の発明は、車両に搭載された車両用指示装置において、計測値に対応する指標が形成されている文字板と、前記文字板に形成されている指標を指示する指針と、運転者側の面にプリズムが鋸歯状に並んだようなプリズムアレイが形成されているプリズムシートと、前記プリズムシートの前記プリズムアレイと並行な側面から入射される光を発生する光源とを備え、前記プリズムシートと前記光源からなる照明板が前記文字板の運転者視点側を覆うように設けられていることを特徴とする車両用指示装置に存する。
【００１０】
請求項１記載の発明によれば、プリズムシート内のプリズムアレイと並行な側面から光源の光を入射させれば、この側面から入射された光は、プリズムアレイの頂点より上記側面と反対に位置する反射面で反射され、文字板側に導かれる。従って、光源を点灯させると、光源からの光をプリズムシートが平面光に変換して、文字板に出射する。このため、文字板全体が一様に照らされ、部分的に輝度が高くなる部分が現れない。また、側面から入射された光は、直接運転者側に出射されることがなく、全て一旦、文字板側に出射され、文字板で反射された後、運転者視点に導かれるため、プリズムシート自体が発光して、文字板が視認しにくくなる、ということがない。
【００１１】
請求項２記載の発明は、請求項１記載の車両用指示装置であって、前記文字板は金属から構成されていることを特徴とする車両用指示装置に存する。
【００１２】
請求項２記載の発明によれば、文字板が金属から構成されている。従って、光源を点灯させると、光源からの光をプリズムシートが平面光に変換して、金属文字板に出射する。このため、金属文字板全体が一様に照らされ、部分的に輝度が極端に高くなる部分が現れない。
【００１３】
【発明の実施の形態】
以下、本発明の実施の形態を、図面を参照して説明する。図１は、本発明の車両用指示装置の一実施の形態を示す分解斜視図であり、図２は、本発明の車両用指示装置の一実施の形態を示す断面図である。
同図において、車両用指示装置は、計測値を指示するための指針１０と、この指針２を回転駆動するムーブメント２０が電気接続されている基板３０と、指針１０が指示する計測値の指示に対応した指標が印刷などによって形成されている文字板としての金属文字板４０と、金属文字板４０より運転者視点側に設けられた導光部材からなる照明板５０とを備えている。
【００１４】
この照明板５０は、照明板押え６０と、金属文字板４０を除いて指示装置内部が見えないようにする見返し７０との間に挟むことによって、金属文字板４０より運転者視点側に支持されている。また、見返し７０の開口部には表ガラス８０が設けられ、開口部から埃などが入らないようになっている。
【００１５】
上述した照明板５０の詳細な構成は、図３及び図４に示すようになっている。同図に示すように、照明板５０には、運転者視点側の面にプリズムが鋸歯状に並んだようなプリズムアレイＰが形成され、文字板４０側の面に反射防止膜が形成されているプリズムシート５０ａと、文字板４０を照明するための光を発生する発光ダイオード（以下ＬＥＤ）５０ｂと、ＬＥＤ５０ｂからの光を、プリズムシート５０ａのプリズムアレイＰと並行な側面５０ａ−１に向かって反射するリフレクタ５０ｃとを有している。
【００１６】
上記プリズムアレイＰは、頂点より側面５０ａ−１の反対側にある反射面Ｐ１と、頂点より側面５０ａ−１側にある傾斜面Ｐ２とを有して構成されている。反射面Ｐ１の傾斜角は、側面５０ａ−１から入射された光が反射面Ｐ１にて反射して、この反射した光が文字板４０に向かって出射される角度に設定している。また、傾斜面Ｐ２の傾斜角は、側面５０ａ−１から入射された光と略平行になっており、この面を反射されたり、透過したりする光はほとんどない。このため、プリズムシート５０ａ自体が発光して見え、プリズムシート５０ａの後ろにある金属文字板４０が見えにくくなるということがない。
【００１７】
上述した構成の照明板５０によれば、図４に示すように、ＬＥＤ５０ｂからの光は、リフレクタ５０ｃの反射面５０ｃ−１で反射され、プリズムシート５０ａの側面５０ａ−１に入射される。このプリズムシート５０ａの側面５０ａ−１から入射された光は、または、側面５０ａ−１から入射され、プリズムシート５０ａの金属文字板４０側の面で反射された光は、プリズムアレイＰの反射面Ｐ１で、反射され、金属文字板４０に向かう。そして、反射面Ｐ１で反射された光は、金属文字板４０で反射されて、運転者視点に届く。
【００１８】
すなわち、上記プリズムシート５０ａにおいては、反射面Ｐ１全体から金属文字板４０に向かう平面光が出射される。従って、上記反射面Ｐ１は、プリズムシート５０ａ全体に傾斜面Ｐ２と交互に設けられているため、プリズムシート５０ａ全体が面発光したようになり、金属文字板４０を面照射することができる。
【００１９】
また、昼間は、外光が、プリズムシート５０ａを透過して、金属文字板４０に入射される。金属文字板４０に入射された光は、再び、プリズムシート５０ａを透過して、運転者視点に届く。
【００２０】
以上の構成の車両用指示装置によれば、照明板５０により金属文字板４０全体が運転席側から一様に照らされ、反射率の高い金属を文字板として用いても、部分的に輝度が高くなる部分が現れない。このため、夜間であっても、昼間と同じように金属文字板４０を視認することができ、夜間であっても金属文字板４０の高級感を失うことがない。
【００２１】
なお、上述した実施形態においては、文字板を金属で構成した板が、これに限ったものでなく、樹脂製のものであってもよい。
【００２２】
【発明の効果】
以上説明したように、請求項１記載の発明によれば、光源を点灯させると、光源からの光をプリズムシートが平面光に変換して、文字板に出射する。このため、文字板全体が一様に照らされ、部分的に輝度が高くなる部分が現れないので、夜間であっても、昼間と同じように文字板が視認できる。また、側面から入射された光は、直接運転者側に出射されることがなく、全て一旦、文字板側に出射され、文字板で反射された後、運転者視点に導かれるため、プリズムシート自体が発光して、文字板が視認しにくくなる、ということがないので、文字板がクリアに視認できる車両用指示装置を得ることができる。
【００２４】
請求項２記載の発明によれば、光源を点灯させると、光源からの光をプリズムシートが平面光に変換して、金属文字板に出射する。このため、金属文字板全体が一様に照らされ、部分的に輝度が極端に高くなる部分が現れないので、夜間であっても、昼間と同じように金属文字板が視認できる車両用指示装置を得ることができる。
【図面の簡単な説明】
【図１】本発明の車両用指示装置の一実施の形態を示す分解斜視図である。
【図２】本発明の車両用指示装置の一実施の形態を示す断面図である。
【図３】図１及び図２の車両用指示装置を構成する照明板５０の詳細な構成を示す図である。
【図４】図１及び図２の車両用指示装置を構成する照明板５０の詳細な構成を示す図である。
【図５】従来の車両用指示装置の構成を示す図である。
【図６】従来の車両用指示装置の問題点を説明するための図である。
【符号の説明】
４０    金属文字板（文字板）
１０    指針
５０    照明板（導光部材）
５０ａ  プリズムシート
【図１】
0003803062.tif 000002
【図２】
0003803062.tif 000003
【図３】
0003803062.tif 000004
【図４】
0003803062.tif 000005
【図５】
0003803062.tif 000006
【図６】
0003803062.tif 000007